(57)【特許請求の範囲】
【請求項１】
入力された動画像信号から所定のタイミングで一画面の静止画像信号を抽出すると共に、前記動画像信号の時間経過に従って前記静止画像信号を抽出する時間間隔を変更する抽出手段と、
前記抽出手段により抽出された静止画像信号を記録媒体に記録する記録手段と、
前記抽出手段により抽出された静止画像信号の合計がＮ画面（Ｎは２以上の整数）に達した場合、前記抽出手段が新たに一画面の前記静止画像信号を抽出したことに応じて、既に前記記録媒体に記録されているＮ画面の静止画像信号の中の一画面の静止画像信号を削除すると共に、前記削除した静止画像信号に代えて前記新たに抽出された一画面の静止画像信号を加えたＮ画面の静止画像信号を前記記録媒体に記録する静止画処理手段とを備える画像処理装置。
【請求項２】
入力された動画像信号から一定間隔で一画面の静止画像信号を抽出すると共に、所定時間経過する毎に前記静止画像信号の抽出間隔を長くする抽出手段と、
前記抽出手段により抽出された静止画像信号を記録媒体に記録する記録手段と、
前記抽出手段により抽出された静止画像信号の合計がＮ画面（Ｎは２以上の整数）に達した場合、前記抽出手段が新たに一画面の前記静止画像信号を抽出したことに応じて、既に前記記録媒体に記録されているＮ画面の静止画像信号の中の一画面の静止画像信号を削除すると共に、前記削除した静止画像信号に代えて前記新たに抽出された一画面の静止画像信号を加えたＮ画面の静止画像信号を前記記録媒体に記録する静止画処理手段とを備える画像処理装置。
【請求項３】
入力された動画像信号から所定のタイミングで一画面の静止画像信号を抽出する抽出手段と、
前記抽出手段により抽出された静止画像信号を前記動画像信号と対応付けて記録媒体に記録する記録手段と、
前記抽出手段により抽出された静止画像信号の合計がＮ画面（Ｎは２以上の整数）に達した場合、前記抽出手段が新たに一画面の前記静止画像信号を抽出したことに応じて、既に前記記録媒体に記録されているＮ画面の静止画像信号の中の一画面の静止画像信号を削除すると共に、前記削除した静止画像信号に代えて前記新たに抽出された一画面の静止画像信号を加えたＮ画面の静止画像信号を前記記録媒体に記録する静止画処理手段とを備える画像処理装置。
【請求項４】
入力された動画像信号から所定のタイミングで一画面の静止画像信号を抽出する抽出手段と、
前記抽出手段により抽出された静止画像信号と前記動画像信号とを記録媒体に記録する記録手段と、
前記抽出手段により抽出された静止画像信号の合計がＮ画面（Ｎは２以上の整数）に達した場合、前記抽出手段が新たに一画面の前記静止画像信号を抽出したことに応じて、既に前記記録媒体に記録されているＮ画面の静止画像信号の中の一画面の静止画像信号を削除すると共に、前記削除した静止画像信号に代えて前記新たに抽出された一画面の静止画像信号を加えたＮ画面の静止画像信号を前記記録媒体に記録する静止画処理手段とを備え、
前記抽出手段は、前記動画像信号の記録開始の指示に応じて前記静止画像信号の抽出処理を開始することを特徴とする画像処理装置。
【請求項５】
入力された動画像信号から所定のタイミングで一画面の静止画像信号を抽出すると共に、前記動画像信号の時間経過に従って前記静止画像信号を抽出する時間間隔を変更する抽出ステップと、
前記抽出された静止画像信号を記録媒体に記録する記録ステップと、
前記抽出された静止画像信号の合計がＮ画面（Ｎは２以上の整数）に達した場合、前記抽出により新たに一画面の前記静止画像信号を抽出したことに応じて既に前記記録媒体に記録されているＮ画面の静止画像信号の中の一画面の静止画像信号を削除し、前記削除した静止画像信号に代えて前記新たに抽出された一画面の静止画像信号を加えたＮ画面の静止画像信号を前記記録媒体に記録する静止画処理ステップとを有する画像処理方法。
【請求項６】
入力された動画像信号から一定間隔で一画面の静止画像信号を抽出すると共に、所定時間経過する毎に前記静止画像信号の抽出間隔を長くする抽出ステップと、
前記抽出された静止画像信号を記録媒体に記録する記録ステップと、
前記抽出された静止画像信号の合計がＮ画面（Ｎは２以上の整数）に達した場合、前記抽出により新たに一画面の前記静止画像信号を抽出したことに応じて既に前記記録媒体に記録されているＮ画面の静止画像信号の中の一画面の静止画像信号を削除し、前記削除した静止画像信号に代えて前記新たに抽出された一画面の静止画像信号を加えたＮ画面の静止画像信号を前記記録媒体に記録する静止画処理ステップとを有する画像処理方法。
【請求項７】
入力された動画像信号から所定のタイミングで一画面の静止画像信号を抽出する抽出ステップと、
前記抽出された静止画像信号を前記動画像信号と対応付けて記録媒体に記録する記録ステップと、
前記抽出された静止画像信号の合計がＮ画面（Ｎは２以上の整数）に達した場合、前記抽出により新たに一画面の前記静止画像信号を抽出したことに応じて既に前記記録媒体に記録されているＮ画面の静止画像信号の中の一画面の静止画像信号を削除し、前記削除した静止画像信号に代えて前記新たに抽出された一画面の静止画像信号を加えたＮ画面の静止画像信号を前記記録媒体に記録する静止画処理ステップとを有する画像処理方法。
【請求項８】
入力された動画像信号から所定のタイミングで一画面の静止画像信号を抽出する抽出ステップと、
前記抽出された静止画像信号と前記動画像信号とを記録媒体に記録する記録ステップと、
前記抽出された静止画像信号の合計がＮ画面（Ｎは２以上の整数）に達した場合、前記抽出により新たに一画面の前記静止画像信号を抽出したことに応じて既に前記記録媒体に記録されているＮ画面の静止画像信号の中の一画面の静止画像信号を削除し、前記削除した静止画像信号に代えて前記新たに抽出された一画面の静止画像信号を加えたＮ画面の静止画像信号を前記記録媒体に記録する静止画処理ステップとを有し、
前記抽出ステップは、前記動画像信号の記録開始の指示に応じて前記静止画像信号の抽出処理を開始することを特徴とする画像処理方法。
【発明の詳細な説明】
【０００１】
【発明の属する技術分野】
本発明は、例えば、動画像データを記録媒体に記録する装置或いはシステムに用いられる、画像処理装置及び画像処理方法に関するものである。
【０００２】
【従来の技術】
従来より例えば、動画像データを、光ディスクや、磁気テープ、或いはメモリカード等の記録媒体に記録し、当該記録画像データを再生する画像記録再生装置として、ビデオカメラが知られている。
【０００３】
また、ビデオカメラをパーソナルコンピュータ（パソコン）に接続し、パソコンにおいて、ビデオカメラで得られた動画像データの中の1場面（１シーン）を切り出し、これを静止画ファイルとして作成することや、ビデオカメラにおいて、動画像の他に高精細な静止画を記録媒体に記録することが行なわれている。
【０００４】
【発明が解決しようとする課題】
しかしながら、上述したような従来の画像処理方法では、動画像から静止画を切り出して記録媒体に記録する場合、インターレースや動画の画素数等の関係により、動画像から高精細な静止画を切り出すことは非常に難しい。
【０００５】
特に、例えば、動画撮影と静止画撮影を同時に行うことが可能であり、高精細な静止画をメモリカード等に記録するようになされたビデオカメラにおいて、ユーザが、動画撮影中に静止画記録のための静止画シャッターを操作すると、動画像が乱れる等の動画像に支障をきたす場合が多い。
【０００６】
そこで、本発明は、上記の欠点を除去するためになされたもので、動画像に支障をきたすことなく、良好な高精細静止画像を記録できる、画像処理装置及び画像処理方法を提供することを目的とする。
【０００７】
具体的には例えば、ビデオカメラ等の撮像装置で得られた動画像を記録媒体に記録する際、ユーザが意識することなく、動画像とは別に高精細な静止画を記録媒体に記録できるようにする。
【０００８】
【課題を解決するための手段】
斯かる目的下において、本発明に係る画像処理装置は、入力された動画像信号から所定のタイミングで一画面の静止画像信号を抽出すると共に、前記動画像信号の時間経過に従って前記静止画像信号を抽出する時間間隔を変更する抽出手段と、前記抽出手段により抽出された静止画像信号を記録媒体に記録する記録手段と、前記抽出手段により抽出された静止画像信号の合計がＮ画面（Ｎは２以上の整数）に達した場合、前記抽出手段が新たに一画面の前記静止画像信号を抽出したことに応じて、既に前記記録媒体に記録されているＮ画面の静止画像信号の中の一画面の静止画像信号を削除すると共に、前記削除した静止画像信号に代えて前記新たに抽出された一画面の静止画像信号を加えたＮ画面の静止画像信号を前記記録媒体に記録する静止画処理手段とを備える。
本発明に係る画像処理装置は、入力された動画像信号から一定間隔で一画面の静止画像信号を抽出すると共に、所定時間経過する毎に前記静止画像信号の抽出間隔を長くする抽出手段と、前記抽出手段により抽出された静止画像信号を記録媒体に記録する記録手段と、前記抽出手段により抽出された静止画像信号の合計がＮ画面（Ｎは２以上の整数）に達した場合、前記抽出手段が新たに一画面の前記静止画像信号を抽出したことに応じて、既に前記記録媒体に記録されているＮ画面の静止画像信号の中の一画面の静止画像信号を削除すると共に、前記削除した静止画像信号に代えて前記新たに抽出された一画面の静止画像信号を加えたＮ画面の静止画像信号を前記記録媒体に記録する静止画処理手段とを備える。
本発明に係る画像処理装置は、入力された動画像信号から所定のタイミングで一画面の静止画像信号を抽出する抽出手段と、前記抽出手段により抽出された静止画像信号を前記動画像信号と対応付けて記録媒体に記録する記録手段と、前記抽出手段により抽出された静止画像信号の合計がＮ画面（Ｎは２以上の整数）に達した場合、前記抽出手段が新たに一画面の前記静止画像信号を抽出したことに応じて、既に前記記録媒体に記録されているＮ画面の静止画像信号の中の一画面の静止画像信号を削除すると共に、前記削除した静止画像信号に代えて前記新たに抽出された一画面の静止画像信号を加えたＮ画面の静止画像信号を前記記録媒体に記録する静止画処理手段とを備える。
本発明に係る画像処理装置は、入力された動画像信号から所定のタイミングで一画面の静止画像信号を抽出する抽出手段と、前記抽出手段により抽出された静止画像信号と前記動画像信号とを記録媒体に記録する記録手段と、前記抽出手段により抽出された静止画像信号の合計がＮ画面（Ｎは２以上の整数）に達した場合、前記抽出手段が新たに一画面の前記静止画像信号を抽出したことに応じて、既に前記記録媒体に記録されているＮ画面の静止画像信号の中の一画面の静止画像信号を削除すると共に、前記削除した静止画像信号に代えて前記新たに抽出された一画面の静止画像信号を加えたＮ画面の静止画像信号を前記記録媒体に記録する静止画処理手段とを備え、前記抽出手段は、前記動画像信号の記録開始の指示に応じて前記静止画像信号の抽出処理を開始することを特徴とする。
【０００９】
また、本発明に係る画像処理方法は、入力された動画像信号から所定のタイミングで一画面の静止画像信号を抽出すると共に、前記動画像信号の時間経過に従って前記静止画像信号を抽出する時間間隔を変更する抽出ステップと、前記抽出された静止画像信号を記録媒体に記録する記録ステップと、前記抽出された静止画像信号の合計がＮ画面（Ｎは２以上の整数）に達した場合、前記抽出により新たに一画面の前記静止画像信号を抽出したことに応じて既に前記記録媒体に記録されているＮ画面の静止画像信号の中の一画面の静止画像信号を削除し、前記削除した静止画像信号に代えて前記新たに抽出された一画面の静止画像信号を加えたＮ画面の静止画像信号を前記記録媒体に記録する静止画処理ステップとを有する。
本発明に係る画像処理方法は、入力された動画像信号から一定間隔で一画面の静止画像信号を抽出すると共に、所定時間経過する毎に前記静止画像信号の抽出間隔を長くする抽出ステップと、前記抽出された静止画像信号を記録媒体に記録する記録ステップと、前記抽出された静止画像信号の合計がＮ画面（Ｎは２以上の整数）に達した場合、前記抽出により新たに一画面の前記静止画像信号を抽出したことに応じて既に前記記録媒体に記録されているＮ画面の静止画像信号の中の一画面の静止画像信号を削除し、前記削除した静止画像信号に代えて前記新たに抽出された一画面の静止画像信号を加えたＮ画面の静止画像信号を前記記録媒体に記録する静止画処理ステップとを有する。
本発明に係る画像処理方法は、入力された動画像信号から所定のタイミングで一画面の静止画像信号を抽出する抽出ステップと、前記抽出された静止画像信号を前記動画像信号と対応付けて記録媒体に記録する記録ステップと、前記抽出された静止画像信号の合計がＮ画面（Ｎは２以上の整数）に達した場合、前記抽出により新たに一画面の前記静止画像信号を抽出したことに応じて既に前記記録媒体に記録されているＮ画面の静止画像信号の中の一画面の静止画像信号を削除し、前記削除した静止画像信号に代えて前記新たに抽出された一画面の静止画像信号を加えたＮ画面の静止画像信号を前記記録媒体に記録する静止画処理ステップとを有する。
本発明に係る画像処理方法は、入力された動画像信号から所定のタイミングで一画面の静止画像信号を抽出する抽出ステップと、前記抽出された静止画像信号と前記動画像信号とを記録媒体に記録する記録ステップと、前記抽出された静止画像信号の合計がＮ画面（Ｎは２以上の整数）に達した場合、前記抽出により新たに一画面の前記静止画像信号を抽出したことに応じて既に前記記録媒体に記録されているＮ画面の静止画像信号の中の一画面の静止画像信号を削除し、前記削除した静止画像信号に代えて前記新たに抽出された一画面の静止画像信号を加えたＮ画面の静止画像信号を前記記録媒体に記録する静止画処理ステップとを有し、前記抽出ステップは、前記動画像信号の記録開始の指示に応じて前記静止画像信号の抽出処理を開始することを特徴とする。
【００１２】
【発明の実施の形態】
以下、本発明の実施の形態について図面を用いて説明する。
【００１３】
[第１の実施の形態]
本発明は、例えば、図１に示すような画像記録再生装置１００に適用される。本実施の形態の画像記録再生装置１００は、撮影動作により取得した動画像及び静止画像を記録媒体１１０に記録可能であると共に、動画像撮影と静止画像撮影を同時に可能な装置であり、特に、次のような特徴とする構成を有する。
【００１４】
・動画撮影中にユーザが意識することなく自動的に高精細な静止画を記録する。
・自動的に高精細な静止画を記録する間隔である自動静止画記録間隔Tを、動画撮影中に自動的に変動させる。
・自動的に記録する静止画に対して優先順位を付加して記録媒体１１０に記録する際に、記録媒体１１０の残量が不足した場合、優先順位の低い静止画を消去若しくは上書きする。
【００１５】
上記のような構成により、1つの動画クリップ撮影中に自動的に記録されたいくつかの高精細静止画は、１つの静止画フォルダにまとめ、撮影後、記録時刻順に再生することで、当該動画クリップのスライドショー再生として用いることができる。このとき、スライドショーの再生間隔を、静止画フォルダに含まれる静止画の記録時刻の間隔、若しくは動画クリップの撮影時間により決定するようにしてもよい。
【００１６】
以下、本実施の形態の画像記録再生装置１００の構成及び動作について、具体的に説明する。
【００１７】
＜画像記録再生装置１００の構成＞
画像記録再生装置１００は、上記図１に示すように、被写体光を後段の撮像素子１０２に導くレンズ１０１と、レンズ１０１からの被写体光を結像する撮像素子１０２と、撮像素子１０２からの光電変換画像信号を標準的な画像信号とする信号処理を実行するカメラ信号処理部１０３と、カメラ信号処理部１０３で得られた画像信号を表示するＬＣＤ１０４と、画像記録再生装置１００全体の動作制御を司るシステムコントローラ１０５と、カメラ信号処理部１０３で得られた画像信号（動画像信号）を圧縮符号化する動画像処理部１０６と、カメラ信号処理部１０３で得られた画像信号（静止画信号）を圧縮符号化する静止画像処理部１０７と、ユーザとのインタフェースである操作キー１０８と、動画像処理部１０６及び静止画像処理部１０７で得られた符号化後の画像信号を画像ファイルとして記録媒体１１０に記録すると共に記録媒体１１０から画像再生する記録再生部１０９とを備えている。
【００１８】
尚、上記図１に示した画像記録再生装置１００の構成を、例えば、図２に示すような構成としてもよい。
すなわち、上記図２に示す画像記録再生装置１００´は、動画像（動画クリップ）を記録する記録媒体１１０と、静止画像（静止画ファイル）を記録する記録媒体１１２（メモリカード）とを別に設けるようにしたものであり、このため、静止画ファイルをメモリカード１１２に記録するためのメモリカードモジュール１１１を備える構成としている。
【００１９】
図３は、画像記録再生装置１００において、最も特徴とする構成である、動画及び静止画の自動記録の構成を概略イメージで示したものである。
【００２０】
まず、画像記録再生装置１００は、動画撮影中に自動的に静止画を記録するモード（自動静止画記録動画撮影モード）に設定されているものとする。
また、動画撮影中にユーザが意識せずに画像記録再生装置１００が自動的に静止画を記録する間隔を「自動静止画記録間隔Ｔ」、その初期設定値を「1秒」（Ｔ＝１）とし、1動画クリップにおける静止画記録枚数を「N」、その枚数を一例として「１０枚」（Ｎ＝１０）とし、静止画を記録するか否かを判定するためのカウンタを「自動静止画記録カウンタC」、その初期設定値を「０」（Ｃ＝０）とする。
【００２１】
そこで、ユーザは、画像記録再生装置１００により、自動静止画記録動画撮影モードで動画撮影を行う。
画像記録再生装置１００は、撮影開始と共に、自動静止画記録カウンタCをカウントし始め、自動静止画記録カウンタCが自動静止画記録間隔Ｔ以上、すなわち自動静止画記録カウンタCが1秒以上（C≧１秒）となると、ユーザが意識することなく自動的に静止画を記録し、自動静止画記録カウントCを“０”にリセットする。
【００２２】
画像記録再生装置１００は、上記の動作を、静止画記録枚数Nに設定されている枚数分、すなわち１０枚分(１０回)実行し、その後、さらに記録を続け、自動静止画記録カウンタCが1秒以上となり、静止画を記録しようとすると現在撮影している動画クリップに割り当てられた静止画記録領域に空き容量がない状態(上記図３（ａ）の「静止画記録領域  時間１０」参照)となると、現在撮影している動画クリップに割り当てられている静止画領域から優先順位の低い静止画を消去し、その領域に新たに静止画を記録する。
【００２３】
例えば、上記図３（ｂ）に示すように、優先順位を判定する要素が「等間隔」で設定されている場合、画像記録再生装置１００は、静止画ファイル２を消去し、静止画ファイル１１を記録する。
【００２４】
このとき、画像記録再生装置１００は、動画撮影時間が１０（Ｔ＊Ｎ）秒を経過していることにより、自動静止画記録間隔Ｔに対して、現在設定されている値「1秒」を２倍した値「２秒」に設定する。
【００２５】
その後、画像記録再生装置１００は、再設定した自動静止画記録間隔Ｔに従って、２秒間隔で静止画ファイルを作成し、一番優先順位の低い静止画ファイルを消去しながら、新たに作成した静止画ファイルを記録する。
【００２６】
すなわち、画像記録再生装置１００は、
静止画ファイル４を消去し、静止画ファイル１２を記録、
静止画ファイル６を消去し、静止画ファイル１３を記録、
…
というようにして、自動静止画記録動画撮影モードで動作する。この結果、動画撮影時間が２０秒となったときの静止画記録領域は、上記図３（ａ）の「静止画記録領域  時間２０」の状態となる。また、動画撮影時間が３０秒となったときの静止画記録領域は、上記図３（ａ）の「静止画記録領域 時間３０」に示す状態となる。
【００２７】
したがって、動画撮影時間が＜自動静止画記録間隔Ｔの初期設定＞＊＜２のｎ乗＞経過した時点（上記図３（ｂ）参照）では、等間隔に静止画が記録されることになる。
【００２８】
また、上記以外の経過時間（上記図３（ｃ）参照）では、画像記録再生装置１００は、＜等間隔の静止画＞＋α（＜撮影終了時の自動静止画記録間隔Ｔ(ｎ)での静止画＞＋＜1つ前の自動静止画記録間隔T(n-1)での静止画＞）で記録処理する。この結果、静止画の記録間隔が密になる部分が生じる。上記図３（ｃ）では、静止画ファイル１３及び１５が、αにあたる静止画ファイルとなる。
【００２９】
上述のような構成により静止画記録することで、ユーザが意識することなく、動画クリップに関連した静止画を記録することができる。ここでは、静止画記録枚数Ｎを一例として「１０枚」としているので、１０ 枚の静止画が1つの静止画ファイル群として記録される。
【００３０】
尚、本実施の形態では一例として、静止画ファイルを消去する優先順位を「等間隔」としているが、これに限られることはなく、例えば、動き検出等を行った結果を用いて、動きが多いシーンに対して優先順位を高くし、或いは、動画クリップの撮影開始時付近のシーンに対して優先順位を高くし、当該優先順位に基づき静止画ファイルを消去するようにしてもよい。
【００３１】
＜画像記録再生装置１００の動作＞
図４は、画像記録再生装置１００のシステムコントローラ１０５の制御により実施される、画像記録再生装置１００の動作をフローチャートにより示したものである。
【００３２】
ステップＳ３０１：
ユーザは、画像記録再生装置１００の操作キー１０８を操作することで、動画記録を行うか選択する。
画像記録再生装置１００において、システムコントローラ１０５は、ユーザの上記操作を認識し、動画記録を行うことが選択されていた場合のみ次のステップＳ３０２からの処理を実行し、動画記録を行わないことが選択されていた場合には本処理を終了とする。
【００３３】
ステップＳ３０２：
ユーザから動画記録を行うことが選択された場合、システムコントローラ１０５は、画像記録再生装置１００を動画記録動作させる。
これにより、動画像処理部１０６は、カメラ信号処理部１０３で得られた画像信号を処理し、記録再生部１０９は、当該処理後の画像信号を記録媒体１１０に記録する。
【００３４】
ステップＳ３０３、ステップＳ３０４：
システムコントローラ１０５は、自動静止画記録カウンタCをカウントアップ(C =Ｃ＋１)し（ステップＳ３０３）、この結果、自動静止画記録カウンタCが自動静止画記録間隔Ｔ以上であるか否かを判別する（ステップＳ３０４）。
ステップＳ３０４の判別の結果、Ｃ≧Ｔである場合にはステップＳ３０５に進み、そうでない場合には再びステップＳ３０１へ戻る。
【００３５】
ステップＳ３０５：
静止画像処理部１０７は、システムコントローラ１０５からの制御により、カメラ信号処理部１０３で得られた画像信号（静止画像信号）を処理して、静止画ファイルを生成する。
また、システムコントローラ１０５は、自動静止画記録カウンタCをリセット(C＝０0)する。
【００３６】
ステップＳ３０６：
システムコントローラ１０５は、記録再生部１０９を介して、記録媒体１１０の静止画ファイルを記録するメモリ領域（静止画メモリ領域）に、ステップＳ３０５で生成された静止画ファイルを記録する容量があるか否かを判別する。
この判別の結果、容量不足である場合にはステップＳ３０７を介してステップＳ３０８に進み、そうでない場合にはそのままステップＳ３０８に進む。
【００３７】
ステップＳ３０７：
システムコントローラ１０５は、記録媒体１１０の静止画メモリ領域内に存在する優先順位の低いファイルを消去する。
【００３８】
ステップＳ３０８：
記録再生部１０９は、システムコントローラ１０５からの制御により、ステップＳ３０５で生成された静止画ファイルを、記録媒体１１０の静止画メモリ領域に記録する。
【００３９】
ステップＳ３０９：
システムコントローラ１０５は、動画撮影Ｔ＊Ｎの時間が経過したか否かを判別する。
この判別の結果、動画撮影Ｔ＊Ｎの時間が経過した場合にはステップＳ３１０を介して再びステップＳ３０１に戻り、そうでない場合にはそのままステップＳ３０１に戻る。
【００４０】
ステップＳ３１０：
システムコントローラ１０５は、自動静止画記録間隔Ｔに現在設定されている値を２倍した値を、自動静止画記録間隔Ｔに対して設定(Ｔ =２＊Ｔ)する。
【００４１】
尚、本実施の形態では、動画と静止画を記録する記録媒体として、記録媒体１１０を用いるようにしたが、上記図２に示したように、動画を記録する記録媒体１１０と、静止画を記録する記録媒体１１２（画像記録再生装置１００´に装着可能なメモリカード）とを異なるように構成してもよい。
【００４２】
[第２の実施の形態]
本実施の形態では、第１の実施の形態における画像記録再生装置１００で記録処理された静止画ファイルを、以下に説明するようにして再生する。
【００４３】
例えば、図５（ａ）及び（ｂ）に示すように、画像記録再生装置１００により、動画クリップを時間２０秒撮影したときに記録した静止画ファイル群を静止画ファイル群Ａとし、時間３０秒撮影したときに記録した静止画ファイル群を静止画ファイル群Ｂとする。
【００４４】
上記図５（ａ）に示す静止画ファイル群Ａを再生する場合、例えば、図６に示すように、先ず、インデックス表示される（ステップＳ４０１）。ユーザは、当該インデックス表示上から、再生する静止画ファイル群Ａを選択する。
【００４５】
具体的には例えば、静止画ファイル群Ａを通常再生する場合、ユーザは、先ず、上記インデックス表示上から静止画ファイル群Ａを選択し、決定ボタン（不図示）を押下する。
ユーザが決定ボタンを押下すると、静止画ファイル群Ａに含まれる静止画ファイルがインデックス表示される（ステップＳ４０２）。
ユーザは、上記インデックス表示上から、所望する静止画ファイルを選択し、決定ボタン（不図示）を押下する。
ユーザが決定ボタンを押下すると、ユーザが選択した静止画が表示される。
【００４６】
一方、静止画ファイル群Ａを動画クリップのスライドショーとして再生する場合、ユーザは、ステップＳ４０１の状態から再生ボタン（不図示）を押下する。
ユーザが再生ボタンを押下すると、記録時刻に従ってスライドショー再生が実行される（ステップＳ４０３）。
【００４７】
ここで、スライドショー再生の場合、静止画ファイルの記録間隔によってスライドショーの静止画切り替え間隔が異なる。
例えば、上記図５（ａ）に示す静止画ファイル群Ａは、記録時間が２０秒であり、自動静止画記録間隔が一様にＴ１である。一方、上記図５（ｂ）に示す静止画ファイル群Ｂは、記録時間３０秒であり、自動静止画記録間隔がＴ１及びＴ２を含むものである。
【００４８】
自動静止画記録間隔Ｔ１を２秒とし、Ｔ２を４秒とする。そして、静止画ファイル群Ａをスライドショー再生する場合、１０枚の静止画ファイルを０．５秒間隔でスライドショー再生し、スライドショー再生開始から４．５秒で終了する。一方、静止画ファイル群Ｂをスライドショー再生する場合、記録間隔Ｔ１の静止画を０．５秒間隔で再生し、記録間隔Ｔ２の静止画を１秒間隔で再生し、スライドショー再生開始から７秒で終了する。
【００４９】
尚、本実施の形態では、スライドショー再生の間隔を自動静止画記録間隔Ｔ１，Ｔ２に関連して実行するようにしたが、これに限られることはなく、例えば、ユーザに指示させて、静止画ファイル群の枚数に応じて再生間隔を変更するようにしてもよい。或いは、優先順位の高いファイルは再生間隔を長くして、再生するようにしてもよい。
【００５０】
尚、本発明の目的は、第１及び第２の実施の形態のホスト及び端末の機能を実現するソフトウェアのプログラムコードを記憶した記憶媒体を、システム或いは装置に供給し、そのシステム或いは装置のコンピュータ（又はＣＰＵやＭＰＵ）が記憶媒体に格納されたプログラムコードを読みだして実行することによっても、達成されることは言うまでもない。
この場合、記憶媒体から読み出されたプログラムコード自体が第１及び第２の実施の形態の機能を実現することとなり、そのプログラムコードを記憶した記憶媒体及び当該プログラムコードは本発明を構成することとなる。
プログラムコードを供給するための記憶媒体としては、ＲＯＭ、フレキシブルディスク、ハードディスク、光ディスク、光磁気ディスク、ＣＤ−ＲＯＭ、ＣＤ−Ｒ、磁気テープ、不揮発性のメモリカード等を用いることができる。
また、コンピュータが読みだしたプログラムコードを実行することにより、第１及び第２の実施の形態の機能が実現されるだけでなく、そのプログラムコードの指示に基づき、コンピュータ上で稼動しているＯＳ等が実際の処理の一部又は全部を行い、その処理によって第１及び第２の実施の形態の機能が実現される場合も含まれることは言うまでもない。
さらに、記憶媒体から読み出されたプログラムコードが、コンピュータに挿入された拡張機能ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部又は全部を行い、その処理によって第１及び第２の実施の形態の機能が実現される場合も含まれることは言うまでもない。
【００５１】
図７は、上記コンピュータの機能６００を示したものである。
コンピュータ機能６００は、上記図７に示すように、ＣＰＵ６０１と、ＲＯＭ６０２と、ＲＡＭ６０３と、キーボード（ＫＢ）６０９のキーボードコントローラ（ＫＢＣ）６０５と、表示部としてのＣＲＴディスプレイ（ＣＲＴ）６１０のＣＲＴコントローラ（ＣＲＴＣ）６０６と、ハードディスク（ＨＤ）６１１及びフレキシブルディスク（ＦＤ）６１２のディスクコントローラ（ＤＫＣ）６０７と、ネットワーク６２０との接続のためのネットワークインターフェースコントローラ（ＮＩＣ）６０８とが、システムバス６０４を介して互いに通信可能に接続された構成としている。
【００５２】
ＣＰＵ６０１は、ＲＯＭ６０２或いはＨＤ６１１に記憶されたソフトウェア、或いはＦＤ６１２より供給されるソフトウェアを実行することで、システムバス６０４に接続された各構成部を総括的に制御する。
すなわち、ＣＰＵ６０１は、所定の処理シーケンスに従った処理プログラムを、ＲＯＭ６０２、或いはＨＤ６１１、或いはＦＤ６１２から読み出して実行することで、第１及び第２の実施の形態での動作を実現するための制御を行う。
【００５３】
ＲＡＭ６０３は、ＣＰＵ６０１の主メモリ或いはワークエリア等として機能する。
ＫＢＣ６０５は、ＫＢ６０９や図示していないポインティングデバイス等からの指示入力を制御する。
ＣＲＴＣ６０６は、ＣＲＴ６１０の表示を制御する。
ＤＫＣ６０７は、ブートプログラム、種々のアプリケーション、編集ファイル、ユーザファイル、ネットワーク管理プログラム、及び第１及び第２の実施の形態における所定の処理プログラム等を記憶するＨＤ６１１及びＦＤ６１２とのアクセスを制御する。
ＮＩＣ６０８は、ネットワーク６２０上の装置或いはシステムと双方向にデータをやりとりする。
【００５４】
【発明の効果】
以上説明したように本発明によれば、例えば、動画像撮影と静止画像撮影を同時に可能な装置或いはシステム（ビデオカメラ等）において、ユーザは、動画撮影中に意識することなく、且つ動画像の撮影に支障をきたすことなく、自動的に高精細な静止画を記録することができる。
【００５６】
また、ユーザの設定による動画クリップの等間隔の位置や、クリップの初めの部分、或いは動画像の重要な部分等のタイミングで静止画像を自動記録することができる。
【００５８】
また、例えば、自動記録静止画を動画クリップ単位で記録媒体内のフォルダにまとめておき、これを再生を実行することで、動画クリップ単位のスライドショー再生が可能となる。このとき、さらに、スライドショー再生の再生間隔をフォルダ内の静止画像の記録時刻等に従って変更するように構成すれば、より効果的なスライドショー再生を行える。
【図面の簡単な説明】
【図１】第１の実施の形態において、本発明を適用した画像記録再生装置の構成を示すブロック図である。
【図２】上記画像記録再生装置の他の構成例を示すブロック図である。
【図３】上記画像記録再生装置の自動静止画記録動作を説明するための図である。
【図４】上記画像記録再生装置の動作を説明するためのフローチャートである。
【図５】第２の実施の形態において、上記画像記録再生装置で記録処理された静止画群の一例を説明するための図である。
【図６】上記静止画群を再生するための構成を説明するための図である。
【図７】第１及び第２の実施の形態による機能をコンピュータに実現させるためのプログラムをコンピュータ読出可能な記憶媒体から読み出して実行する当該コンピュータの構成を示すブロック図である。
【符号の説明】
１００  画像記録再生装置
１０１  レンズ
１０２  画像素子（撮像素子）
１０３  カメラ信号処理部
１０４  ＬＣＤ
１０５  システムコントローラ
１０６  動画像処理部
１０７  静止画像処理部
１０８  操作キー
１０９  記録再生部
１１０  記録媒体
１１１  メモリカードモジュール
１１２  メモリカード
【図１】
0004174234.tif 000002
【図２】
0004174234.tif 000003
【図３】
0004174234.tif 000004
【図４】
0004174234.tif 000005
【図５】
0004174234.tif 000006
【図６】
0004174234.tif 000007
【図７】
0004174234.tif 000008